(57)【要約】【課題】媒体に記録を行う記録機能に加え、原稿を読み取る原稿読み取り機能を備えた記録装置において、特に装置奥行き方向の寸法を抑制する。【解決手段】記録装置は、被記録媒体に記録を行う記録手段を備えた装置本体部と、原稿を読み取る読み取り手段及び前記読み取り手段に対し原稿を搬送する原稿搬送手段を有し、前記装置本体部の上部に設けられる原稿読み取り機構部と、を備え、前記装置本体部は、前記被記録媒体を装置前方に向けて給送する給送ローラーと、水平方向と交差するフレーム面を有するとともに装置奥行き方向において前記給送ローラーと前記記録手段との間に位置するフレームと、を備え、前記前記原稿読み取り機構部の一部が、装置奥行き方向において前記給送ローラーとオーバーラップするととともに鉛直方向において前記フレームとオーバーラップすることを特徴とする。【選択図】図５
2020182051.tif 000002
【特許請求の範囲】
【請求項１】
被記録媒体に記録を行う記録手段を備えた装置本体部と、
原稿を読み取る読み取り手段及び前記読み取り手段に対し原稿を搬送する原稿搬送手段を有し、前記装置本体部の上部に設けられる原稿読み取り機構部と、を備え、
前記装置本体部は、前記被記録媒体を装置前方に向けて給送する給送ローラーと、
水平方向と交差するフレーム面を有するとともに装置奥行き方向において前記給送ローラーと前記記録手段との間に位置するフレームと、を備え、
前記原稿読み取り機構部の一部が、装置奥行き方向において前記給送ローラーとオーバーラップするととともに鉛直方向において前記フレームとオーバーラップする、
ことを特徴とする記録装置。
【請求項２】
請求項１に記載の記録装置において、前記記録手段は、前記被記録媒体の搬送方向と交差する方向である幅方向に移動可能なキャリッジに設けられ、
前記フレームは、前記キャリッジを支持する、
ことを特徴とする記録装置。
【請求項３】
請求項１または請求項２に記載の記録装置において、装置奥行き方向において前記給送ローラーとオーバーラップするととともに鉛直方向において前記フレームとオーバーラップする前記原稿読み取り機構部の一部が、前記読み取り手段である、
ことを特徴とする記録装置。
【請求項４】
請求項３に記載の記録装置において、前記読み取り手段は、発光素子及び受光素子が設けられた基板を備え、
装置奥行き方向において前記給送ローラーとオーバーラップするととともに鉛直方向において前記フレームとオーバーラップする前記原稿読み取り機構部の一部が、前記基板である、
ことを特徴とする記録装置。
【請求項５】
請求項１または請求項２に記載の記録装置において、装置奥行き方向において前記給送ローラーとオーバーラップするととともに鉛直方向において前記フレームとオーバーラップする前記原稿読み取り機構部の一部が、前記読み取り手段を保持する保持部材である、
ことを特徴とする記録装置。
【請求項６】
請求項５に記載の記録装置において、前記原稿読み取り機構部は、読み取りが行われて排出される前記原稿を受ける排出原稿受けトレイを備え、
鉛直方向において前記保持部材の最下部は、前記排出原稿受けトレイにおける原稿受け面より下に位置する、
ことを特徴とする記録装置。
【請求項７】
請求項１から請求項５のいずれか一項に記載の記録装置において、前記原稿読み取り機構部は、読み取りが行われて排出される前記原稿を受ける排出原稿受けトレイを備え、
前記装置本体部は、前記給送ローラーによって給送される前記被記録媒体を傾斜姿勢に支持する被記録媒体支持トレイを備え、
鉛直方向において前記被記録媒体支持トレイの一部と前記排出原稿受けトレイとがオーバーラップする、
ことを特徴とする記録装置。
【請求項８】
請求項１から請求項７のいずれか一項に記載の記録装置において、前記装置本体部は、装置前面にチルトパネルを備え、
鉛直方向において前記原稿読み取り機構部の一部が前記チルトパネルとオーバーラップする、
ことを特徴とする記録装置。
【請求項９】
請求項１から請求項８のいずれか一項に記載の記録装置において、前記原稿読み取り機構部は、前記原稿搬送手段による原稿搬送方向の上流に、前記原稿を支持する原稿支持部を備え、
前記装置本体部の上面が、前記原稿支持部による原稿支持面を装置前方に延長する延長面を構成する、
ことを特徴とする記録装置。
【請求項１０】
請求項９に記載の記録装置において、前記原稿読み取り機構部において前記原稿は前記装置本体部の前面から背面に向かう方向に搬送されつつ前記読み取り手段により読み取りが行われ、前記装置本体部の前面から背面に向かう方向に排出され、
前記装置本体部において前記被記録媒体は前記装置本体部の背面から前面に向かう方向に搬送されつつ前記記録手段により記録が行われ、前記装置本体部の前面から排出される、
ことを特徴とする記録装置。
【発明の詳細な説明】
【技術分野】
【０００１】
本発明は、原稿を読み取る原稿読み取り機構部を備えた記録装置に関する。
【背景技術】
【０００２】
媒体に記録を行う記録機能に加え、原稿を読み取る原稿読み取り機能を備えた記録装置は従来から知られており、複合機とも呼ばれることがある。この様な記録装置の一例が、特許文献１に示されている。
【先行技術文献】
【特許文献】
【０００３】
【特許文献１】特開２００２−２４７２８４号公報
【発明の概要】
【発明が解決しようとする課題】
【０００４】
特許文献１に示された複合機の一例である画像形成装置は、記録装置としての記録系と、原稿上の原稿画像を読み取るための読取系とを備えており、読取系は、記録系に対して装置前面寄りに設けられている。  
この為、特許文献１記載の画像形成装置は装置奥行き方向の寸法が増大せざるを得ない構造となっており、小型化の要請に対して配慮された構造とはなっていない。
【課題を解決するための手段】
【０００５】
上記課題を解決する本発明の記録装置は、被記録媒体に記録を行う記録手段を備えた装置本体部と、原稿を読み取る読み取り手段及び前記読み取り手段に対し原稿を搬送する原稿搬送手段を有し、前記装置本体部の上部に設けられる原稿読み取り機構部と、を備え、前記装置本体部は、前記被記録媒体を装置前方に向けて給送する給送ローラーと、水平方向と交差するフレーム面を有するとともに装置奥行き方向において前記給送ローラーと前記記録手段との間に位置するフレームと、を備え、前記前記原稿読み取り機構部の一部が、装置奥行き方向において前記給送ローラーとオーバーラップするととともに鉛直方向において前記フレームとオーバーラップすることを特徴とする。
【図面の簡単な説明】
【０００６】
【図１】開閉カバーが閉じた状態のプリンターの外観斜視図。
【図２】開閉カバーが開いた状態のプリンターの外観斜視図。
【図３】開閉カバーが閉じた状態のプリンターの側断面図。
【図４】開閉カバーが開いた状態のプリンターの側断面図。
【図５】図４の部分拡大図。
【図６】読み取り機構部の他の実施形態を示す図。
【図７】読み取り機構部の他の実施形態を示す図。
【図８】読み取り機構部の他の実施形態を示す図。
【図９】ベースフレームとメインフレームを装置後方から見た斜視図。
【図１０】ベースフレーム、メインフレーム、保持フレームのこれらを装置後方から見た斜視図。
【図１１】第１支持リブ、第２支持リブ、凹部の斜視図。
【図１２】図１１の凹部に吸収材を設けた状態を示す斜視図。
【図１３】図１２の状態から更にカバー部材を取り付けた状態を示す斜視図。
【図１４】駆動ローラーとローラー支持フレームの斜視図。
【発明を実施するための形態】
【０００７】
以下、本発明について概略的に説明する。  
第１の態様に係る記録装置は、被記録媒体に記録を行う記録手段を備えた装置本体部と、原稿を読み取る読み取り手段及び前記読み取り手段に対し原稿を搬送する原稿搬送手段を有し、前記装置本体部の上部に設けられる原稿読み取り機構部と、を備え、前記装置本体部は、前記被記録媒体を装置前方に向けて給送する給送ローラーと、水平方向と交差するフレーム面を有するとともに装置奥行き方向において前記給送ローラーと前記記録手段との間に位置するフレームと、を備え、前記原稿読み取り機構部の一部が、装置奥行き方向において前記給送ローラーとオーバーラップするととともに鉛直方向において前記フレームとオーバーラップすることを特徴とする。
【０００８】
本態様によれば、前記原稿読み取り機構部の一部が、装置奥行き方向において前記給送ローラーとオーバーラップするととともに鉛直方向において前記フレームとオーバーラップするので、記録装置全体の装置奥行き方向寸法を抑制できるとともに、装置高さ方向も抑制でき、小型化の要請に応えることができる。
【０００９】
第２の態様は、第１の態様において、前記記録手段は、前記被記録媒体の搬送方向と交差する方向である幅方向に移動可能なキャリッジに設けられ、前記フレームは、前記キャリッジを支持することを特徴とする。  
本態様によれば、前記記録手段が、前記被記録媒体の搬送方向と交差する方向である幅方向に移動可能なキャリッジに設けられ、前記フレームが、前記キャリッジを支持する構成において、上述した第１の態様の作用効果が得られる。
【００１０】
第３の態様は、第１のまたは第２の態様において、装置奥行き方向において前記給送ローラーとオーバーラップするととともに鉛直方向において前記フレームとオーバーラップする前記原稿読み取り機構部の一部が、前記読み取り手段であることを特徴とする。
【００１１】
本態様によれば、装置奥行き方向において前記給送ローラーとオーバーラップするととともに鉛直方向において前記フレームとオーバーラップする前記原稿読み取り機構部の一部が、前記読み取り手段である構成において、上述した第１の態様の作用効果が得られる。
【００１２】
第４の態様は、第３の態様において、前記読み取り手段は、発光素子及び受光素子が設けられた基板を備え、装置奥行き方向において前記給送ローラーとオーバーラップするととともに鉛直方向において前記フレームとオーバーラップする前記原稿読み取り機構部の一部が、前記基板であることを特徴とする。
【００１３】
本態様によれば、前記読み取り手段は、発光素子及び受光素子が設けられた基板を備え、装置奥行き方向において前記給送ローラーとオーバーラップするととともに鉛直方向において前記フレームとオーバーラップする前記原稿読み取り機構部の一部が、前記基板であるので、鉛直方向において前記フレームとオーバーラップする前記原稿読み取り機構部の範囲が大きくなり、より一層装置の鉛直方向寸法を抑制できる。
【００１４】
第５の態様は、第１のまたは第２の態様において、装置奥行き方向において前記給送ローラーとオーバーラップするととともに鉛直方向において前記フレームとオーバーラップする前記原稿読み取り機構部の一部が、前記読み取り手段を保持する保持部材であることを特徴とする。
【００１５】
本態様によれば、装置奥行き方向において前記給送ローラーとオーバーラップするととともに鉛直方向において前記フレームとオーバーラップする前記原稿読み取り機構部の一部が、前記読み取り手段を保持する保持部材である構成において、上述した第１の態様の作用効果が得られる。
【００１６】
第６の態様は、第５の態様において、前記原稿読み取り機構部は、読み取りが行われて排出される前記原稿を受ける排出原稿受けトレイを備え、鉛直方向において前記保持部材の最下部は、前記排出原稿受けトレイにおける原稿受け面より下に位置することを特徴とする。
【００１７】
本態様によれば、前記原稿読み取り機構部は、読み取りが行われて排出される前記原稿を受ける排出原稿受けトレイを備え、鉛直方向において前記保持部材の最下部は、前記排出原稿受けトレイにおける原稿受け面より下に位置する構成において、上述した第１の態様の作用効果が得られる。
【００１８】
第７の態様は、第１から第５の態様のいずれかにおいて、前記原稿読み取り機構部は、読み取りが行われて排出される前記原稿を受ける排出原稿受けトレイを備え、前記装置本体部は、前記給送ローラーによって給送される前記被記録媒体を傾斜姿勢に支持する被記録媒体支持トレイを備え、鉛直方向において前記被記録媒体支持トレイの一部と前記排出原稿受けトレイとがオーバーラップすることを特徴とする。  
本態様によれば、鉛直方向において前記被記録媒体支持トレイの一部と前記排出原稿受けトレイとがオーバーラップするので、鉛直方向における装置寸法を抑制できる。
【００１９】
第８の態様は、第１から第７の態様のいずれかにおいて、前記装置本体部は、装置前面にチルトパネルを備え、鉛直方向において前記原稿読み取り機構部の一部が前記チルトパネルとオーバーラップすることを特徴とする。
【００２０】
本態様によれば、前記装置本体部は、装置前面にチルトパネルを備え、鉛直方向において前記原稿読み取り機構部の一部が前記チルトパネルとオーバーラップするので、鉛直方向における装置寸法を抑制できる。
【００２１】
第９の態様は、第１から第８の態様のいずれかにおいて、前記原稿読み取り機構部は、前記原稿搬送手段による原稿搬送方向の上流に、前記原稿を支持する原稿支持部を備え、前記装置本体部の上面が、前記原稿支持部による原稿支持面を装置前方に延長する延長面を構成することを特徴とする。
【００２２】
本態様によれば、前記原稿読み取り機構部は、前記原稿搬送手段による原稿搬送方向の上流に、前記原稿を支持する原稿支持部を備え、前記装置本体部の上面が、前記原稿支持部による原稿支持面を装置前方に延長する延長面を構成するので、前記延長面を専用の部材で構成する必要がなく、装置の低コスト化及び小型化を図ることができる。
【００２３】
第１０の態様は、第９の態様において、前記原稿読み取り機構部において前記原稿は前記装置本体部の前面から背面に向かう方向に搬送されつつ前記読み取り手段により読み取りが行われ、前記装置本体部の前面から背面に向かう方向に排出され、前記装置本体部において前記被記録媒体は前記装置本体部の背面から前面に向かう方向に搬送されつつ前記記録手段により記録が行われ、前記装置本体部の前面から排出されることを特徴とする。  
本態様によれば、前記装置本体部の前方から各種操作を行う際の操作性が向上する。
【００２４】
以下、本発明を具体的に説明する。  
尚、各図においてＸ軸方向は装置幅方向であり、−Ｘ方向は装置前面をユーザーと対面させた際にユーザーから見て右方向となり、また＋Ｘ方向は同左方向となる。またＸ軸方向は、後述する装置本体部２において記録ヘッド２２と対向する領域での用紙搬送方向と交差する方向、即ち用紙幅方向となる。  
Ｙ軸方向は装置奥行き方向であり、＋Ｙ方向は装置背面から前面に向かう方向であり、−Ｙ方向は装置前面から背面に向かう方向である。本実施形態において装置の周囲を構成する複数の側面のうちチルトパネル６が設けられた側面が装置前面となり、その反対の側面が装置背面となる。またＹ軸方向のうち＋Ｙ方向は、後述する装置本体部２において記録ヘッド２２と対向する領域での用紙搬送方向となる。  
Ｚ軸方向は鉛直方向であり、＋Ｚ方向は鉛直上方向、−Ｚ方向は鉛直下方向となる。
【００２５】
図１及び図２において記録装置の一例であるインクジェットプリンター１は、装置本体部２の上部に、原稿を読み取る読み取り機構部３を備えて成る、所謂複合機である。以下、インクジェットプリンター１は、プリンター１と略称する。  
装置本体部２は、被記録媒体の一例である記録用紙に記録を行う機能を有し、読み取り機構部３は、原稿を読み取る機能を有する。
【００２６】
装置本体部２は、装置前面に、プリンター１の電源オンオフ操作を行う為の電源ボタン８及びその他各種操作を行う為の操作部７を有するチルトパネル６を備えている。チルトパネル６は、回動軸６ａ（図３参照）を中心に回動することで、チルト可能となっている。  
また装置前面には前面カバー９を備えており、前面カバー９は回動軸９ａ（図３参照）を中心に回動することで、図１及び図２に示す様に閉じた状態と、記録が行われて排出される記録用紙の排出経路を開放する開いた状態（不図示）と、を取り得る。
【００２７】
装置本体部２は、上面の前方側が開閉カバー４によって構成されている。開閉カバー４は、不図示の回動軸を中心に回動することで、図１及び図２に示す様に閉じた状態と、装置本体部２の内部を露呈させる開いた状態（不図示）と、を取り得る。開閉カバー４を開くことで、例えば詰まった記録用紙の除去や、後述するインクタンク２１へのインクの補充が実行可能となる。  
開閉カバー４には前方覆い部４ｂが一体に設けられている。開閉カバー４の上面４ａと前方覆い部４ｂはほぼ直角を成しており、開閉カバー４が閉じ且つチルトパネル６が閉じた状態では、図１及び図２に示すように前方覆い部４ｂの表面とチルトパネル６の表面とが面一となる。
【００２８】
チルトパネル６及び前方覆い部４ｂの下には前面カバー９が開閉可能に設けられており、図１及び図２は前面カバー９が閉じた状態を示している。図示するように前面カバー９が閉じた状態では、前面カバー９の表面、前方覆い部４ｂの表面、チルトパネル６の表面、のこれらが面一となり、垂直に沿った面を形成する。  
前面カバー９を開くことで、装置前方に向けて排出される記録用紙を受ける排出トレイ２９（図３）を引き出すことができる。
【００２９】
装置上面における後方側には、開閉カバー１０が設けられている。開閉カバー１０は、回転軸１０ｃ（図３、図４参照）を中心に回転することで、図１及び図３に示す閉じた状態と、図２及び図４に示す開いた状態とを取り得る。  
開閉カバー１０を開くと、図２に示す様に読み取り機構部３が露呈し、原稿の読み取りが実行可能となる。また開閉カバー１０を開くと、後述する支持部材１２への記録用紙のセットが可能となる。図２において矢印Ａは、記録用紙のセット方向を示している。
【００３０】
以下、図３及び図４を参照しつつ、装置本体部２における記録用紙の搬送経路について説明する。  
装置後方には支持部材１２が設けられており、給送前の記録用紙は、この支持部材１２と、開いた状態の開閉カバー１０の裏面で構成される用紙支持面１０ａとによって傾斜姿勢で支持される。  
支持部材１２は不図示の揺動軸を中心に揺動可能に構成されており、揺動することで、支持した記録用紙を給送ローラー１３に対して進退させる。
【００３１】
給送ローラー１３は不図示のモーターにより回転駆動され、回転することにより、記録用紙を下流に送り出す。給送ローラー１３と対向する位置には回転抵抗が付与された分離ローラー１４が設けられており、この分離ローラー１４が給送ローラー１３との間でニップ領域を形成することにより、記録用紙の重送が防止される。  
尚、図４において符号Ｐｄで示す二点鎖線は、給送ローラー１３により送り出され、搬送される記録用紙の搬送軌跡を示している。
【００３２】
給送ローラー１３により送り出された記録用紙は、搬送ローラー対１７に到達する。搬送ローラー対１７は、不図示の駆動源により駆動される駆動ローラー１８と、従動回転する従動ローラー１９とで構成されており、記録用紙はこの両ローラーによりニップされ、記録ヘッド２２と対向する領域、即ち記録領域に送られ、記録が行われる。
【００３３】
記録ヘッド２２を備えるキャリッジ２０は、Ｘ軸方向に延びるメインフレーム２４にガイドされつつ、不図示の動力源によってＸ軸方向に往復動する。記録ヘッド２２は、キャリッジ２０の移動動作に伴い、記録用紙に対してインクを吐出する。  
キャリッジ２０にはインクタンク２１が搭載されており、このインクタンク２１から記録ヘッド２２へとインクが供給される。  
尚、本実施形態においてインクタンク２１は不図示のインク供給口を備えており、このインク供給口からインクタンク２１へのインクの補充が可能に構成されている。
【００３４】
メインフレーム２４は金属板材により形成されており、側面視において図３及び図４に示す様に水平方向と交差するフレーム面を形成する鉛直部２４ａと、鉛直部２４ａの上部が折り曲げられることで形成された第１水平部２４ｂと、鉛直部２４ａの下部が折り曲げられることで形成された第２水平部２４ｃと、を備えている。鉛直部２４ａは、本実施形態では垂直面に沿っている。第１水平部２４ｂ及び第２水平部２４ｃは、本実施形態では水平面に沿っている。  
メインフレーム２４は、第１水平部２４ｂの＋Ｙ方向端部が−Ｚ方向に折り曲げられており、また第２水平部２４ｃの＋Ｙ方向端部が＋Ｚ方向に折り曲げられ、更にその上端部が−Ｙ方向に僅かに折り曲げられており、側面視において全体的に矩形の空間が形成された状態となっている。そしてこの空間にキャリッジ２０の一部が入り込み、この入り込んだ部分がメインフレーム２４によってＸ軸方向にガイドされる。
【００３５】
記録ヘッド２２と対向する位置には支持リブ３１が設けられており、記録ヘッド２２により記録の行われる記録用紙は、支持リブ３１によって支持される。  
支持部材１２に対して搬送方向下流には、記録の行われた記録用紙を装置前方に向けて排出する排出ローラー対２６が設けられている。排出ローラー対２６は、不図示の駆動源により駆動される駆動ローラー２７と、従動回転する従動ローラー２８とで構成されており、記録用紙はこの両ローラーによりニップされ、装置前方に向けて排出され、引き出された状態の排出トレイ２９によって支持される。
【００３６】
以上が装置本体部２の構成であり、以下、装置本体部２の上部に設けられた読み取り機構部３について図５を参照しつつ説明する。  
読み取り機構部３は、入口トレイ４０と、上部ユニット３６と、下部ユニット３７と、排出トレイ５３と、によって全体が構成されている。
【００３７】
読み取りを行う原稿は、その先端側が入口トレイ４０により支持され、後端側が開閉カバー４（図２参照）の上面４ａ（図２参照）に支持される。図２において矢印Ｂは、読み取り原稿のセット方向を示している。また図２において符号Ｇｐは、入口トレイ４０と、装置本体部２の上面４ａとで支持される、セットされた原稿を示している。また図２において符号３８ａ、３８ｂは、セットされた原稿の側端をガイドするエッジガイドである。  
図５に戻り、読み取り機構部３における原稿読み取り時の際の原稿搬送方向は概ね−Ｙ方向であり、入口トレイ４０に対し原稿搬送方向の下流には搬送ローラー対４１が設けられている。搬送ローラー対４１は、不図示の駆動源により駆動される駆動ローラー４２と、従動回転する従動ローラー４３とで構成されており、原稿はこの両ローラーによりニップされ、原稿搬送方向の下流へと送られる。
【００３８】
搬送ローラー対４１に対し原稿搬送方向の下流には読み取りガラス５８が設けられており、この読み取りガラス５８の下側に読み取り手段としてのセンサーモジュール５５が設けられている。センサーモジュール５５はＸ軸方向に延設され、押圧ばね５７により読み取りガラス５８の下側から読み取りガラス５８の下面に押し当たっている。センサーモジュール５５には光学縮小方式（CCD方式）や密着センサー方式（CIS方式）を採用でき、本実施形態では密着センサー方式（CIS方式）を採用する。符号５６は、受光素子（不図示）及び発光素子（不図示）が設けられた回路基板である。  
センサーモジュール５５は、保持フレーム５４によって保持されており、保持フレーム５４は、下部ユニット３７の基体を構成し、また、下部ユニット３７の最下面を形成する。
【００３９】
読み取りガラス５８の上には押さえ部材４５が設けられている。押さえ部材４５は、圧縮ばね４６によって読み取りガラス５８に向けて押圧されている。搬送ローラー対４１によって搬送される原稿は、押さえ部材４５と読み取りガラス５８とで挟まれた状態で、センサーモジュール５５によって読み取られる。  
従動ローラー４３、押さえ部材４５、圧縮ばね４６、従動ローラー５０、のこれらは、上部ユニット３６の基体を構成する保持フレーム５１に設けられる。
【００４０】
読み取りガラス５８の下流には、読み取りの行われた原稿を排出する排出ローラー対４８が設けられている。排出ローラー対４８は、不図示の駆動源により駆動される駆動ローラー４９と、従動回転する従動ローラー５０とで構成されており、読み取りの行われた原稿はこの両ローラーによりニップされ、排出トレイ５３に向けて排出される。符号Ｇｐは、セットされ、読み取りが行われ、排出される原稿の通過軌跡を示している。
【００４１】
排出原稿受けトレイとしての排出トレイ５３は、図３に示す非展開状態と図４及び図２に示す展開状態とをユーザー操作により切り換え可能に設けられており、また更にサブトレイ５３ａ（図２参照）を展開可能に構成されている。サブトレイ５３ａは、回転軸５３ｃを中心に図４の時計回り方向及び反時計回り方向に回転することで、図４において実線で示す展開状態と、２点鎖線及び符号５３ａ＿１で示す収納状態と、を取り得る。  
尚、長尺の原稿は、排出されるとその先端が排出トレイ５３を乗り越え、排出トレイ５３の背後に位置する用紙支持面１０ａ（図２参照）によって支持される。
【００４２】
以上説明した従動ローラー４３、押さえ部材４５、圧縮ばね４６、従動ローラー５０、保持フレーム５１、のこれらは、上部ユニット３６を構成する。上部ユニット３６は、不図示の回動軸を中心にして下部ユニット３７に対して回動可能に設けられており、開くことにより、搬送ローラー対４１及び排出ローラー対４８による原稿ニップ状態が解除できる。  
また、以上説明した駆動ローラー４２、センサーモジュール５５、駆動ローラー４９、保持フレーム５４、のこれらは、下部ユニット３７を構成する。
【００４３】
続いて本実施形態に係るプリンター１の特徴的構成について、以下主として図５を参照しつつ説明する。  
プリンター１は、上述した様に記録用紙に記録を行う記録手段としての記録ヘッド２２を備えた装置本体部２と、原稿を読み取る読み取り手段としてのセンサーモジュール５５及びセンサーモジュール５５に対し原稿を搬送する原稿搬送手段としての搬送ローラー対４１を備え、装置本体部２の上部に設けられた読み取り機構部３と、を備えている。  
装置本体部２は、記録用紙を装置前方である＋Ｙ方向に向けて給送する給送ローラー１３と、鉛直方向であるＺ軸方向に沿ったフレーム面を有するとともに装置奥行き方向であるＹ軸方向において給送ローラー１３と記録ヘッド２２との間に位置するメインフレーム２４と、を備えている。そして読み取り機構部３の一部が、Ｙ軸方向において給送ローラー１３とオーバーラップするととともにＺ軸方向においてメインフレーム２４とオーバーラップする。
【００４４】
図５において位置Ｙ１は、給送ローラー１３の外周面の−Ｙ方向端部位置であり、位置Ｙ２は給送ローラー１３の外周面の＋Ｙ方向端部位置である。また、位置Ｚ１はメインフレーム２４における、＋Ｚ方向の最も高い位置であり、より具体的には第１水平部２４ｂの上面の位置である。図５から明かな様に、Ｙ軸方向において位置Ｙ１と位置Ｙ２との間に、読み取り機構部３の、特に保持フレーム５４の一部が配置されており、また、センサーモジュール５５の全体が配置されている。また、読み取りガラス５８の全体も位置Ｙ１と位置Ｙ２との間に配置されている。  
また、Ｚ軸方向において位置Ｚ１より下に、読み取り機構部３の、特に保持フレーム５４の一部が配置されており、また、センサーモジュール５５を構成する回路基板５６が配置されている。
【００４５】
本実施形態において保持フレーム５４の一部が、Ｙ軸方向において給送ローラー１３とオーバーラップするとともに、Ｚ軸方向においてメインフレーム２４とオーバーラップしている。  
この様な構成により、プリンター１全体のＹ軸方向寸法を抑制できるとともに、Ｚ軸方向寸法も抑制でき、小型化の要請に応えることができる。  
また本実施形態では、センサーモジュール５５の一部も、Ｙ軸方向において給送ローラー１３とオーバーラップするとともに、Ｚ軸方向においてメインフレーム２４とオーバーラップしている。  
尚、本明細書においてＹ軸方向において２つの部位がオーバーラップするとは、Ｙ軸方向において２つの部位が同じ領域に位置することを意味する。同様にＺ軸方向において２つの部位がオーバーラップするとは、Ｚ軸方向において２つの部位が同じ領域に位置することを意味する。  
見方を変えれば、Ｙ軸方向において２つの部位がオーバーラップするとは、Ｚ軸方向から見て２つの部位が重なっていることを意味する。また、Ｚ軸方向において２つの部位がオーバーラップするとは、Ｙ軸方向から見て２つの部位が重なっていることを意味する。
【００４６】
また本実施形態では、Ｚ軸方向において保持フレーム５４の一部が、キャリッジ２０において＋Ｚ方向の最も高い位置である位置Ｚ２よりも下に位置している。このことにより、装置全体のＺ軸方向寸法がより一層抑えられる。
【００４７】
また、記録ヘッド２２は用紙搬送方向と交差する方向、即ち用紙幅方向であるＸ軸方向に移動可能なキャリッジ２０に設けられ、メインフレーム２４は、キャリッジ２０を支持する。
【００４８】
また本実施形態では、Ｙ軸方向において給送ローラー１３とオーバーラップするととともにＺ軸方向においてメインフレーム２４とオーバーラップする読み取り機構部３の一部が、センサーモジュール５５である。センサーモジュール５５の一部が、Ｙ軸方向において給送ローラー１３とオーバーラップするととともにＺ軸方向においてメインフレーム２４とオーバーラップする。
【００４９】
また、センサーモジュール５５は、不図示の発光素子及び受光素子が設けられた回路基板５６を備え、Ｙ軸方向において給送ローラー１３とオーバーラップするととともにＺ軸方向においてメインフレーム２４とオーバーラップする読み取り機構部３の一部が、回路基板５６である。回路基板５６の一部が、Ｙ軸方向において給送ローラー１３とオーバーラップするととともにＺ軸方向においてメインフレーム２４とオーバーラップする。このことにより、Ｚ軸方向においてメインフレーム２４とオーバーラップする読み取り機構部３の範囲が大きくなり、より一層装置のＺ軸方向寸法を抑制できる。
【００５０】
また、Ｙ軸方向において給送ローラー１３とオーバーラップするととともにＺ軸方向においてメインフレーム２４とオーバーラップする読み取り機構部３の一部が、センサーモジュール５５を保持する保持部材としての保持フレーム５４である。保持フレーム５４の一部が、Ｙ軸方向において給送ローラー１３とオーバーラップするととともにＺ軸方向においてフレームとオーバーラップする。
【００５１】
また読み取り機構部３は、読み取りが行われて排出される原稿を受ける排出原稿受けトレイとしての排出トレイ５３を備え、Ｚ軸方向において保持フレーム５４の最下部は、排出トレイ５３における原稿受け面５３ｂより下に位置する。  
図５において符号Ｇｈで示す実線は、排出トレイ５３によって支持される原稿を示している。
【００５２】
また装置本体部２は、図４に示した様に給送ローラー１３によって給送される記録用紙を傾斜姿勢に支持する媒体支持トレイとしての開閉カバー１０を備え、Ｚ軸方向において開いた状態の開閉カバー１０の一部と排出トレイ５３とがオーバーラップする。  
また装置本体部２は、図４に示した様に装置前面にチルトパネル６を備え、Ｚ軸方向において読み取り機構部３の一部がチルトパネル６とオーバーラップする。
【００５３】
また読み取り機構部３は、搬送ローラー対４１による原稿搬送方向の上流に、原稿を支持する原稿支持部としての入口トレイ４０を備え、図２に示す様に装置本体部２の上面４ａが、入口トレイ４０による原稿支持面を装置前方である＋Ｙ方向に延長する延長面を構成する。このことにより、前記延長面を専用の部材で構成する必要がなく、装置の低コスト化及び小型化を図ることができる。
【００５４】
また読み取り機構部３において搬送ローラー対４１は、装置本体部２の前面から背面に向かう方向、つまり−Ｙ方向に原稿を搬送し、装置本体部２において記録用紙は装置本体部２の背面から前面に向かう方向、つまり＋Ｙ方向に搬送されつつ記録ヘッド２２により記録が行われ、装置背面から前面に向かう方向つまり＋Ｙ方向に排出される構成である。このことにより、装置本体部２の前方から各種操作を行う際の操作性が向上する。尚、ここでの各種操作とは、例えば読み取り機構部３への原稿のセット、読み取りが行われて排出された原稿の取り出し、装置本体部２への記録用紙のセット、記録が行われて排出された記録用紙の取り出し、などが挙げられる。
【００５５】
尚、読み取り機構部は装置本体部に対し、図６〜図８に示す様に配置しても良い。図６〜図８は、読み取り機構部の他の実施形態を簡略図示したものである。  
図６に示す読み取り機構部３Ｂは、駆動ローラー４２の一部と駆動ローラー４９の一部が、メインフレーム２４における、＋Ｚ方向の最も高い位置である位置Ｚ１より下にある。つまり、読み取り機構部３Ｂの一部が、メインフレーム２４の背後に設けられた空間により一層食い込んだ形態となり、より一層Ｚ軸方向の寸法を抑制できる。
【００５６】
また、図７に示す読み取り機構部３Ｃは、上部ユニット３６を構成する保持フレーム５１が、開閉カバー４の上面４ａのＺ軸方向位置である位置Ｚ０より下にある。つまり、読み取り機構部３Ｃの一部が、メインフレーム２４の背後に設けられた空間に更に食い込んだ形態となり、更にＺ軸方向の寸法を抑制できる。  
尚、保持フレーム５１の上面が、Ｚ軸方向において位置Ｚ０と同じ位置にあっても良い。
【００５７】
また、図８に示す読み取り機構部３Ｄは、上述した各実施形態とは異なり、センサーモジュール５５が上部ユニット３６Ｂに設けられている。また、搬送ローラー対４１Ｂは、上述した搬送ローラー対４１とは異なり、駆動ローラー４２が上側に設けられ、従動ローラー４３が下側に設けられている。同様に排出ローラー対４８Ｂは、上述した排出ローラー対４８とは異なり、駆動ローラー４９が上側に設けられ、従動ローラー５０が下側に設けられている。すなわち下部ユニット３７Ｂは、従動ローラー４３、５０を有し、上部ユニット３６Ｂは、駆動ローラー４２、４９を有している。  
そしてこの様な構成の読み取り機構部３Ｄであっても、Ｙ軸方向において読み取り機構部３Ｄの一部が給送ローラー１３とオーバーラップし、且つ、Ｚ軸方向においてメインフレーム２４とオーバーラップする。  
尚、上記各実施形態では原稿搬送経路を挟んで下側或いは上側に一つ、センサーモジュール５５を設けたが、原稿搬送経路を挟んで下側と上側にそれぞれセンサーモジュール５５を設け、原稿の両面を読み取る構成としても良い。
【００５８】
続いて図９以降を参照してプリンター１のその他の構成について説明する。  
図９に示す様に、プリンター１の基体はベースフレーム３０で構成される。ベースフレーム３０はプリンター１を平面視した際のプリンター１の占有面積の殆どを占める大型のフレームであり、全体が樹脂材料によって一体的に形成されている。  
そして上述したメインフレーム２４はＸ軸方向に沿って延設されており、Ｘ軸方向におけるメインフレーム２４の長さとベースフレーム３０の長さとがほぼ同じに形成されている。
【００５９】
ベースフレーム３０において、メインフレーム２４の取り付け位置の背後には、サイドフレーム部３０ｅ、３０ｆがベースフレーム３０の下部から＋Ｚ方向に向けて立ち上がる様に形成されている。サイドフレーム部３０ｅ、３０ｆはＸ軸方向に所定の間隔を空けて設けられており、そしてサイドフレーム部３０ｅ、３０ｆの上端部には、図１０に示す様に読み取り機構部３を構成する保持フレーム５４が接続される。  
これにより、保持フレーム５４がサイドフレーム部３０ｅ、３０ｆのＸ軸方向への倒れを抑制し、全体的にフレームとしての剛性の向上が図られている。
【００６０】
続いて図１１〜図１３を参照しつつ、図３を参照して説明した支持リブ３１について詳説する。支持リブ３１は、本実施形態においてより詳しくは第１支持リブ３１ａ、第２支持リブ３１ｂ、第３支持リブ３１ｃ、のこれらで構成される。  
このうち第１支持リブ３１ａと第２支持リブ３１ｂは、図１１に示す様にベースフレーム３０に対して一体的に形成されており、これにより第１支持リブ３１ａと第２支持リブ３１ｂの、Ｚ軸方向の高さの精度が確保されている。
【００６１】
特に第１支持リブ３１ａは、３つの支持リブのうち最もＺ軸方向の高さが高く、次いで第２支持リブ３１ｂのＺ軸方向高さが高くなっている。第３リブ３１ｃは、他のリブに比べてＺ軸方向の高さが低い。  
つまり、主としてベースフレーム３０に対して一体的に形成された第１支持リブ３１ａと第２支持リブ３１ｂによって、記録用紙と記録ヘッド２２との間隔が規制されることとなる。
【００６２】
次に、ベースフレーム３０において第１支持リブ３１ａと第２支持リブ３１ｂの周囲には図１１に示す様に凹部３０ａが形成されており、この凹部３０ａに、図１２に示す様にインクを吸収する吸収材３３が配設される。吸収材３３は、記録用紙の端部に余白無く記録を行う際に、記録用紙の端部から外れた位置に吐出されるインクを吸収する。
【００６３】
そして凹部３０ａに吸収材３３が配設された後、吸収材３３の一部の上部には、図１３に示す様にカバー部材３４が設けられる。Ｚ軸方向の高さが最も低い第３支持リブ３１ｃは、このカバー部材３４に形成される。  
第３支持リブ３１ｃは、主に吸収材３３への記録用紙の接触を防止するものであり、直接的に記録品質には寄与しない為、カバー部材３４に形成されることでＺ軸方向の高さに多少の誤差が生じても、適切な記録品質を維持できる。  
そしてこの様な第３支持リブ３１ｃをベースフレーム３０に一体に設けないことで、吸収材３３の設置領域を増やすことができ、吸収材３３の体積を増やすことでインクの吸収可能容量を増大させることができる。
【００６４】
次いで、図１４は図３を参照しつつ説明した搬送ローラー対１７を構成する駆動ローラー１８の、＋Ｘ方向端部を支持するローラー支持フレーム３５を示している。ローラー支持フレーム３５は、メインフレーム２４と同様に金属板材で形成されており、即ち電気的導通が可能な材料で形成されている。  
メインフレーム２４において＋Ｘ方向端部には、−Ｚ方向に突出する様に折り曲げ部２４ｄが形成されており、この折り曲げ部２４ｄとローラー支持フレーム３５との間に、金属材材料で形成されたコイルばね２５が掛け渡されている。  
ローラー支持フレーム３５は不図示の回路基板のアース端子に電気的に接続しており、以上の構成によって、少ない部品点数で、メインフレーム２４が接地された状態となっている。
【００６５】
本発明は上記において説明した各実施形態に限定されることなく、特許請求の範囲に記載した発明の範囲内で、種々の変形が可能であり、それらも本発明の範囲内に含まれるものであることは言うまでもない。
【符号の説明】
【００６６】
１…インクジェットプリンター、２…装置本体部、３…読み取り機構部、４…開閉カバー、４ａ…上面、４ｂ…前方覆い部、６…チルトパネル、７…操作部、８…電源ボタン、９…前面カバー、１０…開閉カバー、１０ａ…用紙支持面、１２…支持部材、１３…給送ローラー、１４…分離ローラー、１７…搬送ローラー対、１８…駆動ローラー、１９…従動ローラー、２０…キャリッジ、２１…インクタンク、２２…記録ヘッド、２４…メインフレーム、２４ａ…鉛直部、２４ｂ…第１水平部、２４ｃ…第２水平部、２４ｄ…折り曲げ部、２５…導電部材、２６…排出ローラー対、２７…駆動ローラー、２８…従動ローラー、２９…排出トレイ、３０…ベースフレーム、３０ａ…凹部、３０ｅ、３０ｆ…サイドフレーム部、３１…支持リブ、３１ａ…第１支持リブ、３１ｂ…第２支持リブ、３１ｃ…第３支持リブ、３３…吸収材、３４…カバー部材、３５…ローラー支持フレーム、３６…上部ユニット、３７…下部ユニット、３８ａ、３８ｂ…エッジガイド、４０…入口トレイ、４１…搬送ローラー対、４２…駆動ローラー、４３…従動ローラー、４５…押さえ部材、４６…圧縮ばね、４８…排出ローラー対、４９…駆動ローラー、５０…従動ローラー、５１…保持フレーム、５３…排出トレイ、５３ａ…サブトレイ、５３ｂ…原稿受け面、５４…保持フレーム、５５…センサーモジュール、５６…回路基板、５７…押圧ばね、５８…読み取りガラス
【図１】
2020182051.tif 000003
【図２】
2020182051.tif 000004
【図３】
2020182051.tif 000005
【図４】
2020182051.tif 000006
【図５】
2020182051.tif 000007
【図６】
2020182051.tif 000008
【図７】
2020182051.tif 000009
【図８】
2020182051.tif 000010
【図９】
2020182051.tif 000011
【図１０】
2020182051.tif 000012
【図１１】
2020182051.tif 000013
【図１２】
2020182051.tif 000014
【図１３】
2020182051.tif 000015
【図１４】
2020182051.tif 000016